(57)【要約】【課題】プレスによる穴抜き加工で複数の貫通穴を形成した場合でも所定の平面度を確保できるようにする。【解決手段】ダンパープレート素材３０には、隣接する穴抜き加工部位４２の間の非穴抜き加工部分に補強ビード４０が設けられており、その非穴抜き加工部分の剛性が補強ビード４０の凹凸形状および加工硬化によって高くされる。これにより、その後のプレスによる穴抜き加工で曲げモーメントが生じても、その曲げモーメントに起因する反り等の変形が抑制されて所定の平面度を確保できる。また、その補強ビード４０についても、プレス加工によって板厚方向へ塑性変形させるだけであるため、穴抜き加工と同様に低コストで効率的に加工することができる。【選択図】図４
2017154160.tif 000002
【特許請求の範囲】
【請求項１】
金属製の板状ワークに対してプレスによる穴抜き加工を行なって複数の貫通穴を形成する穴抜き加工方法において、
前記穴抜き加工に先立って、前記貫通穴を形成すべき複数の穴抜き加工部位のうち隣接する穴抜き加工部位の間の非穴抜き加工部分に、板厚方向へ塑性変形させた補強部をプレス加工によって設ける
ことを特徴とする穴抜き加工方法。
【発明の詳細な説明】
【技術分野】
【０００１】
本発明は穴抜き加工方法に係り、特に、穴抜き加工後の平面度を向上させる技術に関するものである。
【背景技術】
【０００２】
コイルスプリング等の複数のダンパー部材と、そのダンパー部材を収容するための貫通穴が一円周上に複数設けられた円板形状のダンパープレートと、を有するトーショナルダンパーが、車両の動力伝達経路等に広く用いられている（特許文献１参照）。上記ダンパープレートのような金属製の板状ワークに対して複数の貫通穴を加工する方法としては、プレスによる穴抜き加工が低コストで効率的である。
【先行技術文献】
【特許文献】
【０００３】
【特許文献１】特開２０１５−１０２１１５号公報
【発明の概要】
【発明が解決しようとする課題】
【０００４】
しかしながら、プレスによる穴抜き加工では、せん断の際に曲げモーメントが生じ、貫通穴の周縁部に残留応力として残るため、隣接する貫通穴の間隔が狭くて十分な剛性が得られない場合や、軽量化などのために板厚を薄くした場合などに、曲げモーメントに起因して反り等が発生し、平面度が損なわれる可能性があった。平面度が損なわれると、後工程で加工不良や組付不良等の不具合を生じる恐れがるため、所定の平面度を確保するために機械加工等の追加工程が必要になる。
【０００５】
本発明は以上の事情を背景として為されたもので、その目的とするところは、プレスによる穴抜き加工で複数の貫通穴を形成した場合でも所定の平面度を確保できるようにすることにある。
【課題を解決するための手段】
【０００６】
本発明は、金属製の板状ワークに対してプレスによる穴抜き加工を行なって複数の貫通穴を形成する穴抜き加工方法において、前記穴抜き加工に先立って、前記貫通穴を形成すべき複数の穴抜き加工部位のうち隣接する穴抜き加工部位の間の非穴抜き加工部分に、板厚方向へ塑性変形させた補強部をプレス加工によって設けることを特徴とする。
【発明の効果】
【０００７】
このような穴抜き加工方法によれば、隣接する穴抜き加工部位の間の非穴抜き加工部分に補強部が設けられ、その非穴抜き加工部分の剛性が高くされるため、その後の穴抜き加工で曲げモーメントが生じても、その曲げモーメントに起因する反り等の変形が抑制されて所定の平面度を確保できる。これにより、例えば貫通穴の間隔に関する制約が緩和されて互いに接近して設けたり、或いは板状ワークの薄板化や軽量化を図ったりすることができる。また、その補強部についても、プレス加工によって板厚方向へ塑性変形させるだけで良いため、穴抜き加工と同様に低コストで効率的に加工することができる。
【図面の簡単な説明】
【０００８】
【図１】本発明方法を用いて製造されたダンパープレートの一例を示す正面図である。
【図２】図１におけるII−II矢視部分を拡大して示した断面図で、併せて貫通穴の周縁部に残留する曲げモーメントＭを説明する図である。
【図３】図１におけるII−II矢視部分の近傍の斜視図で、併せて貫通穴の周縁部に残留する曲げモーメントＭを説明する図である。
【図４】複数の貫通穴を設ける前のダンパープレート素材を説明する正面図である。
【図５】図４のダンパープレート素材に複数の貫通穴を穴抜き加工するプレス加工装置の一例を説明する断面図である。
【図６】従来のダンパープレートを説明する図で、図３に対応する斜視図である。
【図７】図６における VII−VII 矢視部分の断面図である。
【発明を実施するための形態】
【０００９】
本発明は、捩り振動を減衰するためのトーショナルダンパーに用いられる円板形状のダンパープレートを製造する際に好適に適用されるが、複数の貫通穴が設けられる他の種々の板状ワークの加工に適用され得る。板状ワークの形状は円板形状に限らず、矩形や長手形状などでも良い。
【００１０】
補強部は、例えば板状ワークの一方の面側が凹んで他方の面側へ膨出する長手状の補強ビードを絞り加工によって設けることが望ましいが、圧印加工によって一方の面側に溝等の凹みを設けるだけでも良いし、補強部の形状は適宜定めることができるなど、種々の態様が可能である。すなわち、補強部は、凹凸などの形状によって剛性を高くすることができるし、塑性変形による加工硬化によって剛性を高くすることも可能で、その両方の作用で剛性を高くすることもできる。
【００１１】
上記補強ビードは、隣接する一対の穴抜き加工部位を結ぶ直線に対して交差する方向、特に直交する方向、に沿って設けることが望ましいが、一対の穴抜き加工部位を結ぶ直線に沿って平行に設けることも可能で、板状ワークの形状や曲げモーメントによる変形形態等に応じて適宜定められる。補強ビードはまた、例えば前記穴抜き加工を行なう穴抜きパンチが押し当てられる側が前記一方の面側、すなわち溝状の凹所が形成される面側になるように設けられるが、凹凸が反対向きとなるように設けることも可能である。
【実施例】
【００１２】
以下、本発明の実施例を、図面を参照して詳細に説明する。なお、以下の実施例において、図は説明のために適宜簡略化或いは変形されており、各部の寸法比および形状等は必ずしも正確に描かれていない。
【００１３】
図１は、本発明方法を用いて製造されたダンパープレート１０の正面図で、図２は図１におけるII−II矢視部分の断面図、図３はそのII−II矢視部分の近傍の斜視図である。このダンパープレート１０は、捩り振動を減衰するためのトーショナルダンパーに用いられるもので、円板形状の鋼板にて構成されているとともに、コイルスプリング等のダンパー部材を収容するための貫通穴１２が、円板形状の中心線Ｏを中心とする一円周上に等角度間隔で複数（実施例では８つ）設けられている。
【００１４】
上記複数の貫通穴１２は、例えば図５に示すプレス加工装置２０を用いた穴抜き加工によって設けられる。プレス加工装置２０は、貫通穴１２に対応して中心線Ｓまわりに等角度間隔で設けられた複数の穴抜きパンチ２２と、その穴抜きパンチ２２に対応して複数の抜き穴２４が設けられたダイス２６とを備えており、貫通穴１２が設けられる前の円板形状のダンパープレート素材３０が、その中心線Ｏがプレス加工装置２０の中心線Ｓと一致する位置に位置決めされてダイス２６上に載置される。複数の穴抜きパンチ２２は、図示しない上下駆動プレートに配設されて同時に一体的に上下駆動されるようになっており、図５における中心線Ｓの左側半分に示すようにダイス２６の抜き穴２４に達する下降端位置まで下降させられることにより、その抜き穴２４との間のせん断作用によって複数の貫通穴１２を同時に穴抜き加工する。上下駆動プレートには、スプリング等の付勢部材によって下方へ付勢されたストリッパ２８が配設されており、図５における中心線Ｓの右側半分に示すように、穴抜き加工後に穴抜きパンチ２２が上方へ後退させられる際に、穴抜き加工後のダンパープレート素材３０すなわちダンパープレート１０が、穴抜きパンチ２２から離脱させられるようになっている。また、穴抜き加工によって切り出された切屑３１は、抜き穴２４内を落下して排出される。本実施例では、ダンパープレート素材３０が板状ワークに相当する。
【００１５】
ここで、このようなプレスによる穴抜き加工では、ダンパープレート素材３０がせん断される際に曲げモーメントＭが生じ、貫通穴１２の周縁部に残留応力として残る。図２および図３に示す矢印は、この曲げモーメントＭを示したもので、穴抜きパンチ２２が押し当てられる一方の面側、すなわち上面３２側へ向かって曲げ変形させるモーメントが残留する。このため、図６に示すようにプレスによる穴抜き加工によって複数の貫通穴１２を設けただけの従来のダンパープレート５０の場合、その図６の VII−VII 矢視断面を示す図７から明らかなように、上記曲げモーメントＭに起因して外周縁部が上面３２側へ湾曲する反り５２が発生し、平面度が損なわれる場合があった。図７の一点鎖線は、穴抜き加工前の素材形状である。
【００１６】
これに対し、本実施例では、複数の貫通穴１２の相互間の複数の非穴抜き加工部分、すなわち周方向に隣接する貫通穴１２の間の中間部分に、それぞれプレスによる絞り加工によって補強ビード４０が設けられている。この補強ビード４０は補強部に相当し、プレス加工装置２０による穴抜き加工に先立って、プレス加工によって設けられる。すなわち、図４に示す穴抜き加工前のダンパープレート素材３０には、貫通穴１２を加工すべき複数の穴抜き加工部位４２の間の中間位置に、それぞれ径方向に沿って直線状の補強ビード４０が放射状に設けられている。言い換えれば、周方向に隣接する穴抜き加工部位４２を結ぶ直線に対して直交する方向（垂直２等分線の方向）に、直線状の補強ビード４０が設けられている。また、この補強ビード４０は、図２の断面図から明らかなように、穴抜きパンチ２２が押し当てられる一方の面である上面３２側から絞り加工用のパンチが押圧されることにより、その上面３２側が凹んで他方の面である下面３４側へ膨出するように断面が板厚方向へ湾曲するように設けられており、上面３２には溝状の凹所４４が形成されるとともに下面３４には凸条４６が形成される。なお、図４では、穴抜き加工部位４２の境界（外縁）が一点鎖線で示されているが、実際に目で見える必要はない。
【００１７】
このように、本実施例のダンパープレート素材３０には、隣接する穴抜き加工部位４２の間の非穴抜き加工部分に補強ビード４０が設けられており、その非穴抜き加工部分の剛性が補強ビード４０の凹凸形状および加工硬化によって高くされる。このため、その後のプレスによる穴抜き加工で曲げモーメントＭが生じても、その曲げモーメントＭに起因する反り５２等の変形が抑制されて所定の平面度を確保できる。これにより、例えば貫通穴１２の間隔に関する制約が緩和されて互いに接近して設けたり、ダンパープレート１０の薄板化や軽量化を図ったりすることができる。また、その補強ビード４０についても、プレス加工によって板厚方向へ塑性変形させるだけで良いため、穴抜き加工と同様に低コストで効率的に加工することができる。
【００１８】
一方、本実施例では隣接する穴抜き加工部位４２を結ぶ直線に対して直交する方向、具体的には円板形状のダンパープレート素材３０の径方向に、直線状の補強ビード４０が放射状に設けられているため、非穴抜き加工部分の径方向の剛性が適切に高められ、外周縁部が板厚方向へ湾曲する反り５２等の変形が一層適切に抑制される。
【００１９】
また、本実施例の補強ビード４０は、穴抜きパンチ２２が押し当てられる上面３２側が凹んで下面３４側へ膨出するように設けられており、穴抜き加工によって生じる曲げモーメントＭに対して反対向きに凸条４６が膨出させられるため、形状的にも曲げモーメントＭに対する剛性が高められて変形が一層適切に抑制される。
【００２０】
以上、本発明の実施例を図面に基づいて詳細に説明したが、これはあくまでも一実施形態であり、本発明は当業者の知識に基づいて種々の変更、改良を加えた態様で実施することができる。
【符号の説明】
【００２１】
１２：貫通穴    ３０：ダンパープレート素材（板状ワーク）    ４０：補強ビード（補強部）    ４２：穴抜き加工部位
【図１】
2017154160.tif 000003
【図２】
2017154160.tif 000004
【図３】
2017154160.tif 000005
【図４】
2017154160.tif 000006
【図５】
2017154160.tif 000007
【図６】
2017154160.tif 000008
【図７】
2017154160.tif 000009